(57)【要約】【課題】予約する部屋を含む空間において、予約で部屋が使用される場合には特定の利用者以外には空間への出入を制御することにより部屋の入室管理を行えるようにした部屋予約管理システムなどを提供する。【解決手段】固有情報と、予約した部屋に関する予約証明情報を記憶する記憶手段を有する情報記憶媒体と、入力手段と、入力された予約申込情報と固有情報とをサーバに送信する送信手段と、情報記憶媒体に予約証明情報を書き込む手段とを有する通信端末と、日時取得手段と、記憶手段と、その時刻が予約日時情報の時間帯内か判定する判定手段と、判定で予約時間帯内とされた場合に入出可否を制御する入室制御手段とを有する入出管理装置と、予約状況情報データベースと、予約申込情報を受信した際に予約状況情報データベースの登録情報に基づき、予約が可能である場合に予約証明情報として登録する登録手段とを有するサーバとからなる。【選択図】図１
2008077648.tif 000002
【特許請求の範囲】
【請求項１】
予約する部屋を含む空間の入出に使用する情報記憶媒体と、前記情報記憶媒体のためのリーダライタを有する通信端末と、前記通信端末と通信可能に接続されたサーバと、前記情報記憶媒体のためのリーダライタを前記空間の入口側と出口側に有し前記空間の入出を管理する入出管理装置とが備えられた部屋予約管理システムであって、
前記情報記憶媒体は、固有情報が記憶され、更に、予約した部屋に関する予約証明情報を記憶する記憶手段を有し、
前記通信端末は、
部屋の予約に関する予約申込情報を入力する入力手段と、
前記入力手段から入力された前記予約申込情報と、前記通信端末のリーダライタにより前記情報記憶媒体から読み取られた固有情報とを前記サーバに送信する送信手段と、
を有し、
前記入出管理装置は、
日時を取得する日時取得手段と、
前記入出管理装置のリーダライタにより前記情報記憶媒体から読み取られた前記予約証明情報を記憶する記憶手段と、
前記日時取得手段で取得するその時点の時刻が、前記記憶手段に記憶された前記予約証明情報に含まれる予約時間を示す予約日時情報の時間帯内に入っているか否かを判定する判定手段と、
前記判定手段による判定の結果、その時刻が予約した時間帯内であると判定された場合に、前記空間への入室可否を制御する入室制御手段と、
を有し、
前記サーバは、
部屋毎の予約状況の情報を登録する予約状況情報データベースと、
前記固有情報と前記予約申込情報とを前記通信端末から受信した際に、前記予約状況情報データベースに登録された予約状況情報に基づいて、予約が可能である場合に、前記予約状況情報データベースに前記予約証明情報として登録する登録手段と、
を有することを特徴とする部屋予約管理システム。
【請求項２】
前記サーバの前記登録手段は、前記通信端末から受信した前記固有情報と前記予約申込情報とに基づき、予約する部屋を特定する部屋特定情報と、前記予約日時情報と、予約した部屋の利用者を特定する利用者特定情報と、を前記予約証明情報として前記予約状況情報データベースに登録し、
前記サーバは、前記利用者特定情報に含まれる利用者の固有情報と共に前記予約証明情報の送信指示情報を前記通信端末から受信した際に、前記予約証明情報を前記通信端末に送信する送信手段を有し、
前記通信端末は、前記通信端末のリーダライタから前記情報記憶媒体に前記予約証明情報を書き込む書込手段を有することを特徴とする請求項１記載の部屋予約管理システム。
【請求項３】
前記入出管理装置は、前記入出管理装置のリーダライタにより前記情報記憶媒体から読み取られた固有情報と、前記入出管理装置の前記記憶手段に記憶された予約証明情報に含まれる予約した部屋の利用者を特定する利用者特定情報とを照合する照合手段を有し、
前記照合手段による照合の結果、前記利用者特定情報に含まれる利用者と、前記固有情報で特定される利用者とが対応する場合に、前記入出管理装置の前記入室制御手段は、入室可能に制御することを特徴とする請求項１又は２記載の部屋予約管理システム。
【請求項４】
前記サーバに予約証明情報を暗号化する手段が設けられ、前記入出管理装置に暗号化された予約証明情報を復号する手段が設けられていることを特徴とする請求項１から３のいずれかに記載の部屋予約管理システム。
【請求項５】
予約する部屋への入室可否を制御する前記情報記憶媒体のためのリーダライタを有する部屋管理装置を備え、
前記部屋管理装置は、
日時を取得する日時計測手段と、
前記部屋管理装置のリーダライタにより前記情報記憶媒体から読み取られた前記予約証明情報を記憶する記憶手段と、
前記日時計測手段で取得するその時点の時刻が、前記記憶手段に記憶された前記予約証明情報に含まれる予約時間を示す予約日時情報の時間帯内に入っているか否かを判定する判定手段と、
前記判定手段による判定の結果、その時刻が予約した時間帯内であると判定された場合に、前記部屋への入室可否を制御する入室制御手段と、
を有することを特徴とする請求項１から４のいずれかに記載の部屋予約管理システム。
【請求項６】
前記部屋管理装置は、前記部屋管理装置のリーダライタにより前記情報記憶媒体から読み取られた固有情報と、前記部屋管理装置の前記記憶手段に記憶された予約証明情報に含まれる予約した部屋の利用者を特定する利用者特定情報とを照合する照合手段を有し、
前記照合手段による照合の結果、前記利用者特定情報に含まれる利用者と、前記固有情報で特定される利用者とが対応する場合に、前記部屋管理装置の前記入室制御手段は、入室可能に制御することを特徴とする請求項５記載の部屋予約管理システム。
【請求項７】
前記サーバに予約証明情報を暗号化する手段が設けられ、前記部屋管理装置に暗号化された予約証明情報を復号する手段が設けられていることを特徴とする請求項５又は６記載の部屋予約管理システム。
【請求項８】
予約する部屋を含む空間の入出に使用する情報記憶媒体と、予約する部屋への入室可否を制御する前記情報記憶媒体のためのリーダライタを有する部屋管理装置と、前記情報記憶媒体のためのリーダライタを前記空間の入口側と出口側に有し前記空間の入出を管理する入出管理装置とが備えられた部屋予約管理システムであって、
前記情報記憶媒体は、固有情報が記憶され、更に、予約した部屋に関する予約証明情報を記憶する記憶手段を有し、
前記部屋管理装置は、
日時を取得する日時計測手段と、
前記部屋管理装置のリーダライタにより前記情報記憶媒体から読み取られた前記予約証明情報を記憶する記憶手段と、
前記日時計測手段で取得するその時点の時刻が、前記部屋管理装置の前記記憶手段に記憶された前記予約証明情報に含まれる予約時間を示す予約日時情報の時間帯内に入っているか否かを判定する判定手段と、
前記判定手段による判定の結果、その時刻が予約した時間帯内であると判定された場合に、前記部屋への入室可否を制御する入室制御手段と、
を有し、
前記入出管理装置は、
部屋の予約に関する予約申込情報を入力する入力手段と、
部屋毎の予約状況の情報を記憶する記憶手段と、
日時を取得する日時取得手段と、
前記日時取得手段で取得するその時点の時刻が、前記入出管理装置の前記記憶手段に記憶された前記予約証明情報に含まれる予約時間を示す予約日時情報の時間帯内に入っているか否かを判定する判定手段と、
前記判定手段による判定の結果、その時刻が予約した時間帯内であると判定された場合に、前記空間への入室可否を制御する入室制御手段と、
を有し、
前記入出管理装置の前記記憶手段は、前記入力手段から入力された前記予約申込情報と、前記入出管理装置のリーダライタにより前記情報記憶媒体から読み取られた固有情報とから、前記入出管理装置の前記記憶手段に記憶された予約状況情報に基づいて、予約が可能である場合に、前記予約証明情報を記憶することを特徴とする部屋予約管理システム。
【請求項９】
前記入出管理装置は、前記入出管理装置のリーダライタにより前記情報記憶媒体から読み取られた固有情報と、前記入出管理装置の前記記憶手段に記憶された予約証明情報に含まれる予約した部屋の利用者を特定する利用者特定情報とを照合する照合手段を有し、
前記照合手段による照合の結果、前記利用者特定情報に含まれる利用者と、前記固有情報で特定される利用者とが対応する場合に、前記入出管理装置の前記入室制御手段は、入室可能に制御することを特徴とする請求項８記載の部屋予約管理システム。
【請求項１０】
前記入出管理装置は、
前記入出管理装置のリーダライタにより前記情報記憶媒体から読み取られた固有情報と、前記入出管理装置の前記記憶手段に記憶された予約証明情報に含まれる予約した部屋の利用者を特定する利用者特定情報とを照合する照合手段と、
前記リーダライタから前記情報記憶媒体に書き込む書込手段と、
を有し、
前記照合手段による照合の結果、前記利用者特定情報に含まれる利用者と、前記固有情報で特定される利用者とが対応する場合に、前記入出管理装置の前記書込手段は、該当の予約証明情報を書き込むことを特徴とする請求項８又は９記載の部屋予約管理システム。
【請求項１１】
前記入出管理装置の前記入力手段により、前記利用者と共に部屋を利用する追加利用者に関する追加利用者情報を入力し、
前記入出管理装置の前記照合手段による照合の結果、前記利用者特定情報に含まれる利用者と、前記固有情報で特定される利用者とが対応する場合に、前記入出管理装置の前記記憶手段は、前記入力手段から入力された前記追加利用者情報を含む前記利用者特定情報を前記予約証明情報と関連付けて記憶することを特徴とする請求項１０記載の部屋予約管理システム。
【請求項１２】
前記入出管理装置は、前記入出管理装置のリーダライタにより前記情報記憶媒体から読み取られた前記予約証明情報と、前記日時取得手段により取得するその時点の日時とを比較し、所定の場合に、前記予約証明情報を消去する消去手段を有することを特徴とする請求項１から１１のいずれかに記載の部屋予約管理システム。
【請求項１３】
予約する部屋を含む空間の入出に使用する情報記憶媒体のためのリーダライタを前記空間の入口側と出口側に有し、前記空間の入出を管理する入出管理装置であって、
日時を取得する日時取得手段と、
前記リーダライタにより前記情報記憶媒体から読み取られた予約された部屋に関する予約証明情報を記憶する記憶手段と、
前記日時取得手段で取得するその時点の時刻が、前記記憶手段に記憶された前記予約証明情報に含まれる予約時間を示す予約日時情報の時間帯内に入っているか否かを判定する判定手段と、
前記判定手段による判定の結果、その時刻が予約した時間帯内であると判定された場合に、前記空間への入室可否を制御する入室制御手段と、
を有することを特徴とする入出管理装置。
【請求項１４】
部屋の予約に関する予約申込情報を入力する入力手段を有し、
前記記憶手段は、部屋毎の予約状況の情報を記憶しており、
前記入力手段から入力された前記予約申込情報と、前記リーダライタにより前記情報記憶媒体から読み取られた固有情報とから、前記記憶手段に記憶された予約状況情報に基づいて、予約が可能である場合に、前記予約証明情報を記憶することを特徴とする請求項１３記載の入出管理装置。
【請求項１５】
前記リーダライタにより前記情報記憶媒体から読み取られた固有情報と、前記記憶手段に記憶された予約証明情報に含まれる予約した部屋の利用者を特定する利用者特定情報とを照合する照合手段を有し、
前記照合手段による照合の結果、前記利用者特定情報に含まれる利用者と、前記固有情報で特定される利用者とが対応する場合に、前記入室制御手段は、入室可能に制御することを特徴とする請求項１３又は１４記載の入出管理装置。
【請求項１６】
前記リーダライタから前記情報記憶媒体に書き込む書込手段を有し、
前記照合手段による照合の結果、前記利用者特定情報に含まれる利用者と、前記固有情報で特定される利用者とが対応する場合に、前記書込手段は、該当の予約証明情報を書き込むことを特徴とする請求項１５記載の入出管理装置。
【請求項１７】
前記利用者と共に部屋を利用する追加利用者に関する追加利用者情報を入力する入力手段を有し、
前記照合手段による照合の結果、前記利用者特定情報に含まれる利用者と、前記固有情報で特定される利用者とが対応する場合に、前記記憶手段は、前記入力手段から入力された前記追加利用者情報を含む前記利用者特定情報を前記予約証明情報と関連付けて記憶することを特徴とする請求項１６記載の入出管理装置。
【請求項１８】
前記リーダライタにより前記情報記憶媒体から読み取られた前記予約証明情報と、前記日時取得手段により取得するその時点の日時とを比較し、所定の場合に、前記予約証明情報を消去する消去手段を有することを特徴とする請求項１３から１７のいずれかに記載の入出管理装置。
【請求項１９】
予約する部屋を含む空間の入出に使用する情報記憶媒体のためのリーダライタを前記空間の入口側と出口側に有し、前記空間の入出を管理する入出管理装置のコンピュータに実行させるための装置プログラムであって、
前記リーダライタにより前記情報記憶媒体から読み取られた予約された部屋に関する予約証明情報を記憶するステップと、
日時を取得し、その時点の時刻が、記憶された前記予約証明情報に含まれる予約時間を示す予約日時情報の時間帯内に入っているか否かを判定するステップと、
前記判定するステップによる判定の結果、その時刻が予約した時間帯内であると判定された場合に、前記空間への入室可否を制御するステップと、
を実行させることを特徴とする装置プログラム。
【請求項２０】
部屋毎の予約状況の情報を記憶するステップと、
部屋の予約に関する予約申込情報を入力するステップと、
入力された前記予約申込情報と、前記リーダライタにより前記情報記憶媒体から読み取られた固有情報とから、記憶された予約状況情報に基づいて、予約が可能である場合に、前記予約証明情報を記憶するステップと、
を実行させることを特徴とする請求項１９記載の装置プログラム。
【請求項２１】
前記リーダライタにより前記情報記憶媒体から読み取られた固有情報と、記憶された前記予約証明情報に含まれる予約した部屋の利用者を特定する利用者特定情報とを照合するステップと、
前記照合するステップによる照合の結果、前記利用者特定情報に含まれる利用者と、前記固有情報で特定される利用者とが対応する場合に、入室可能に制御するステップと、
前記照合するステップによる照合の結果、前記利用者特定情報に含まれる利用者と、前記固有情報で特定される利用者とが対応する場合に、該当の予約証明情報を前記リーダライタから前記情報記憶媒体に書き込むステップと、
を実行させることを特徴とする請求項１９又は２０記載の装置プログラム。
【請求項２２】
前記利用者と共に部屋を利用する追加利用者に関する追加利用者情報を入力するステップと、
前記照合するステップによる照合の結果、前記利用者特定情報に含まれる利用者と、前記固有情報で特定される利用者とが対応する場合に、入力された前記追加利用者情報を含む前記利用者特定情報を前記予約証明情報と関連付けて記憶するステップと、
を実行させることを特徴とする請求項２１記載の装置プログラム。
【発明の詳細な説明】
【技術分野】
【０００１】
本発明は、複数の人間が共通して使用することができる会議室などの部屋を含む空間において、予約で部屋が使用される場合には特定の利用者以外には空間への出入を制御することにより部屋の入室管理を行えるようにした部屋予約管理システム、入出管理装置、及び装置プログラムに関する。
【背景技術】
【０００２】
従来、会議室、集会室、などの複数の人間が集まって会議や打ち合わせなどを行うための部屋は、種々の方法により部屋の使用予約が行えるようにしてある。
これらの予約方法としては、予約を行いたいと考える者が、自由に予約日時、時間帯などの予約情報を書き込むための予約表を用意しておき、利用者が予約情報を書き込んで予約を行ったり、通信端末から予約申込情報をサーバに送信して、予約情報データベースに登録されている予約状況情報に基づいて、予約の判定を行い、予約が取れたか否かの回答情報を通信端末に送信して予約管理などを行うなどしている（例えば、特許文献１参照）。
【特許文献１】特開２００２−１２３５８８号公報
【０００３】
しかしながら、部屋の予約管理が効率的に行われていたとしても、予約が行われている部屋に、不用意に第三者が入室してくることを防止することはできないという問題がある。
例えば、複数の人間が共用で使用する部屋では、重要な内容を話し合う会議などが行われるが、これらの会議中に会議に関係のない第三者が間違えて入室してくることも考えられる。
会議室が複数用意されている場合には、部屋を間違えて入室してきたり、予約時間を間違えて入室してきたりなど、様々な理由で第三者が入室してくることが考えられる。
これらの第三者の入室を防止するために、部屋のドア施錠をロックして、会議に無関係な第三者の入室を防止する方法も考えられる。
しかしながら、その会議のメンバーが数十人以上である場合には、ドアを開けない状態で、ドアをノックした者がその会議の関係者であるのか否か判断しにくいために、一旦、ドアを開けてからその者を見て会議の関係者か確認するなどしなければならず、手間がかかるという問題がある。
【０００４】
また、ドアをノックした者がその会議の関係者であるのか否か判断する目的で、ドアを開けた際に、第三者に、その会議のメンバーとしてどのような人物が参加しているのかを見られてしまったり、また、会議内容として決定した事項を、黒板、記入ボードなどに記入していた場合に、それらの記入内容を第三者に見られてしまうなどして、秘密性を有する情報が漏れるといった危険性もあるという問題がある。
【０００５】
更に、複数の会議室が備えられている場合には、部屋ごとにセキュリティを保持するための様々な設備を整えると、セキュリティを保持するための費用が高くなるという問題点がある。また、そのようなセキュリティを保持することが必要な部屋が複数備えられた会議室スペースにおいて、そのスペース内に不審な第三者を入室させたくないという要望も高い。
【発明の開示】
【発明が解決しようとする課題】
【０００６】
そこで、本発明は、複数の人間が共通して使用することができる会議室などの部屋を含む空間において、予約で部屋が使用される場合には特定の利用者以外には空間への出入を制御することにより部屋の入室管理を行えるようにした部屋予約管理システム、入出管理装置、及び装置プログラムを提供する。
【課題を解決するための手段】
【０００７】
上記の課題を達成するために、本発明の部屋予約管理システムは、予約する部屋を含む空間の入出に使用する情報記憶媒体と、前記情報記憶媒体のためのリーダライタを有する通信端末と、前記通信端末と通信可能に接続されたサーバと、前記情報記憶媒体のためのリーダライタを前記空間の入口側と出口側に有し前記空間の入出を管理する入出管理装置とが備えられた部屋予約管理システムであって、前記情報記憶媒体は、固有情報が記憶され、更に、予約した部屋に関する予約証明情報を記憶する記憶手段を有し、前記通信端末は、部屋の予約に関する予約申込情報を入力する入力手段と、前記入力手段から入力された前記予約申込情報と、前記通信端末のリーダライタにより前記情報記憶媒体から読み取られた固有情報とを前記サーバに送信する送信手段と、を有し、前記入出管理装置は、日時を取得する日時取得手段と、前記入出管理装置のリーダライタにより前記情報記憶媒体から読み取られた前記予約証明情報を記憶する記憶手段と、前記日時取得手段で取得するその時点の時刻が、前記記憶手段に記憶された前記予約証明情報に含まれる予約時間を示す予約日時情報の時間帯内に入っているか否かを判定する判定手段と、前記判定手段による判定の結果、その時刻が予約した時間帯内であると判定された場合に、前記空間への入室可否を制御する入室制御手段と、を有し、前記サーバは、部屋毎の予約状況の情報を登録する予約状況情報データベースと、前記固有情報と前記予約申込情報とを前記通信端末から受信した際に、前記予約状況情報データベースに登録された予約状況情報に基づいて、予約が可能である場合に、前記予約状況情報データベースに前記予約証明情報として登録する登録手段と、を有することを特徴とする。
【０００８】
また、本発明の部屋予約管理システムは、前記サーバの前記登録手段は、前記通信端末から受信した前記固有情報と前記予約申込情報とに基づき、予約する部屋を特定する部屋特定情報と、前記予約日時情報と、予約した部屋の利用者を特定する利用者特定情報と、を前記予約証明情報として前記予約状況情報データベースに登録し、前記サーバは、前記利用者特定情報に含まれる利用者の固有情報と共に前記予約証明情報の送信指示情報を前記通信端末から受信した際に、前記予約証明情報を前記通信端末に送信する送信手段を有し、前記通信端末は、前記通信端末のリーダライタから前記情報記憶媒体に前記予約証明情報を書き込む書込手段を有することを特徴とする。
【０００９】
更に、本発明の部屋予約管理システムは、前記入出管理装置は、前記入出管理装置のリーダライタにより前記情報記憶媒体から読み取られた固有情報と、前記入出管理装置の前記記憶手段に記憶された予約証明情報に含まれる予約した部屋の利用者を特定する利用者特定情報とを照合する照合手段を有し、前記照合手段による照合の結果、前記利用者特定情報に含まれる利用者と、前記固有情報で特定される利用者とが対応する場合に、前記入出管理装置の前記入室制御手段は、入室可能に制御することを特徴とする。
【００１０】
また、本発明の部屋予約管理システムは、前記サーバに予約証明情報を暗号化する手段が設けられ、前記入出管理装置に暗号化された予約証明情報を復号する手段が設けられていることを特徴とする。
【００１１】
更に、本発明の部屋予約管理システムは、予約する部屋への入室可否を制御する前記情報記憶媒体のためのリーダライタを有する部屋管理装置を備え、前記部屋管理装置は、日時を取得する日時計測手段と、前記部屋管理装置のリーダライタにより前記情報記憶媒体から読み取られた前記予約証明情報を記憶する記憶手段と、前記日時計測手段で取得するその時点の時刻が、前記記憶手段に記憶された前記予約証明情報に含まれる予約時間を示す予約日時情報の時間帯内に入っているか否かを判定する判定手段と、前記判定手段による判定の結果、その時刻が予約した時間帯内であると判定された場合に、前記部屋への入室可否を制御する入室制御手段と、を有することを特徴とする。
【００１２】
また、本発明の部屋予約管理システムは、前記部屋管理装置は、前記部屋管理装置のリーダライタにより前記情報記憶媒体から読み取られた固有情報と、前記部屋管理装置の前記記憶手段に記憶された予約証明情報に含まれる予約した部屋の利用者を特定する利用者特定情報とを照合する照合手段を有し、前記照合手段による照合の結果、前記利用者特定情報に含まれる利用者と、前記固有情報で特定される利用者とが対応する場合に、前記部屋管理装置の前記入室制御手段は、入室可能に制御することを特徴とする。
【００１３】
更に、本発明の部屋予約管理システムは、前記サーバに予約証明情報を暗号化する手段が設けられ、前記部屋管理装置に暗号化された予約証明情報を復号する手段が設けられていることを特徴とする。
【００１４】
また、本発明の部屋予約管理システムは、予約する部屋を含む空間の入出に使用する情報記憶媒体と、予約する部屋への入室可否を制御する前記情報記憶媒体のためのリーダライタを有する部屋管理装置と、前記情報記憶媒体のためのリーダライタを前記空間の入口側と出口側に有し前記空間の入出を管理する入出管理装置とが備えられた部屋予約管理システムであって、前記情報記憶媒体は、固有情報が記憶され、更に、予約した部屋に関する予約証明情報を記憶する記憶手段を有し、前記部屋管理装置は、日時を取得する日時計測手段と、前記部屋管理装置のリーダライタにより前記情報記憶媒体から読み取られた前記予約証明情報を記憶する記憶手段と、前記日時計測手段で取得するその時点の時刻が、前記部屋管理装置の前記記憶手段に記憶された前記予約証明情報に含まれる予約時間を示す予約日時情報の時間帯内に入っているか否かを判定する判定手段と、前記判定手段による判定の結果、その時刻が予約した時間帯内であると判定された場合に、前記部屋への入室可否を制御する入室制御手段と、を有し、前記入出管理装置は、部屋の予約に関する予約申込情報を入力する入力手段と、部屋毎の予約状況の情報を記憶する記憶手段と、日時を取得する日時取得手段と、前記日時取得手段で取得するその時点の時刻が、前記入出管理装置の前記記憶手段に記憶された前記予約証明情報に含まれる予約時間を示す予約日時情報の時間帯内に入っているか否かを判定する判定手段と、前記判定手段による判定の結果、その時刻が予約した時間帯内であると判定された場合に、前記空間への入室可否を制御する入室制御手段と、を有し、前記入出管理装置の前記記憶手段は、前記入力手段から入力された前記予約申込情報と、前記入出管理装置のリーダライタにより前記情報記憶媒体から読み取られた固有情報とから、前記入出管理装置の前記記憶手段に記憶された予約状況情報に基づいて、予約が可能である場合に、前記予約証明情報を記憶することを特徴とする。
【００１５】
更に、本発明の部屋予約管理システムは、前記入出管理装置は、前記入出管理装置のリーダライタにより前記情報記憶媒体から読み取られた固有情報と、前記入出管理装置の前記記憶手段に記憶された予約証明情報に含まれる予約した部屋の利用者を特定する利用者特定情報とを照合する照合手段と、前記リーダライタから前記情報記憶媒体に書き込む書込手段と、を有し、前記照合手段による照合の結果、前記利用者特定情報に含まれる利用者と、前記固有情報で特定される利用者とが対応する場合に、前記入出管理装置の前記書込手段は、該当の予約証明情報を書き込むことを特徴とする。
【００１６】
また、本発明の部屋予約管理システムは、前記入出管理装置の前記入力手段により、前記利用者と共に部屋を利用する追加利用者に関する追加利用者情報を入力し、前記入出管理装置の前記照合手段による照合の結果、前記利用者特定情報に含まれる利用者と、前記固有情報で特定される利用者とが対応する場合に、前記入出管理装置の前記記憶手段は、前記入力手段から入力された前記追加利用者情報を含む前記利用者特定情報を前記予約証明情報と関連付けて記憶することを特徴とする。
【００１７】
更に、本発明の部屋予約管理システムは、前記入出管理装置は、前記入出管理装置のリーダライタにより前記情報記憶媒体から読み取られた前記予約証明情報と、前記日時取得手段により取得するその時点の日時とを比較し、所定の場合に、前記予約証明情報を消去する消去手段を有することを特徴とする。
【発明の効果】
【００１８】
本発明の部屋予約管理システムは、部屋の予約で部屋が使用される場合に、入室可否を制御して特定の利用者以外には入室できないようにしてあるので、予約された部屋に関係のない第三者が不用意に入室できず、セキュリティが確保できるという効果がある。
また、部屋の予約がされ、その部屋が使用される場合には、入室可否を制御し、予約がされていない場合には、入室可否を制御しないので、真に入室管理を行いたい場合に、第三者の入室を入室拒否に制御することができ、セキュリティの向上に寄与する。
【００１９】
また、本発明の部屋予約管理システムは、利用者が予約した部屋を使用する際に、部屋管理装置に備えられたリーダライタにより、情報記憶媒体から読み取られた予約証明情報を記憶手段に記憶させることで、予約証明情報に含まれている利用者特定情報により、その後の入室者の入室判定が行えるようにしてあるので、複数の人間が共通して使用することができる会議室などの部屋において、部屋の予約が行われた場合に、その部屋の予約者と、その予約者と共にその部屋を使用する利用者だけが入室可能にすることができ、予約された部屋に関係のない第三者が不用意に入室できないようにしてあるので、セキュリティの保護が図れるという効果がある。
【００２０】
更に、本発明の部屋予約管理システムの予約状況情報データベースに、通信端末から受信した固有情報と関係付けて、予約証明情報として登録する。予約証明情報として登録するものは、例えば、部屋特定情報と、予約日時情報と、利用者特定情報とである。よって、利用者特定情報で特定された利用者から予約証明情報の送信指示情報を受けた場合に、予約証明情報を通信端末に送信することができるので、その部屋の予約者と共にその部屋を使用する利用者が、予約者よりも先に入室する場合でも入室可能になっており、予約された部屋に関係のない第三者が不用意に入室できないようにしてあるので、セキュリティの保護が図れるという効果がある。
【００２１】
また、本発明の部屋予約管理システムは、サーバに予約証明情報を暗号化する手段が設けられ、入出管理装置に暗号化された予約証明情報を復号する手段が設けられているので、予約証明情報のセキュリティの向上に寄与するという効果がある。なお、部屋管理装置を有する場合には、部屋管理装置にも暗号化された予約証明情報を復号する手段を設けることにより、より一層セキュリティの向上に寄与するという効果が期待できる。
【００２２】
更に、本発明の部屋予約管理システムは、情報記憶媒体のためのリーダライタを予約した部屋を含む空間の入口側と出口側に有し、空間の入出を管理する入出管理装置を有するので、予約した部屋の入室のみならず、予約した部屋を含む空間への入室を制御できるので、二重のセキュリティのチェックを行うことができる。また、入出管理装置は、入口側と出口側の両方にリーダライタを有しているので、空間への入室だけでなく、退室時もチェックを行うことができる。
【００２３】
また、本発明の部屋予約管理システムは、サーバと通信端末の代わりに、入出管理装置とテンキーなどの入力手段によって、入出管理装置により入出が必要な部屋の予約を行うことができるので、簡単な構成のために安価に部屋の予約管理システムを構築することができる。
【００２４】
更に、本発明の部屋予約管理システムは、入出管理装置により退室する場合、ＩＣカードから記憶された情報を削除することができるので、不要な情報を削除し、ＩＣカードの記憶領域を有効に活用することができる。また、本システムで使用する情報を、ＩＣカードの記憶領域の固定部分に記憶することにより、簡単な構成のために安価にシステムを構築することができる。
【発明を実施するための最良の形態】
【００２５】
（第１実施形態）
以下、本発明の第１実施形態に係る部屋予約管理システムについて、図面に基づいて詳細に説明する。
図１は、本発明の第１実施形態に係る部屋予約管理システムの構成の概要を説明する図、図２は、本発明の第１実施形態に係る部屋予約管理システムに係るＩＣカードと通信端末及びサーバのシステム構成を説明する図、図３は、本発明の第１実施形態に係る部屋予約管理システムに係るサーバの予約状況情報データベースの登録内容を説明する図、図４は、本発明の第１実施形態に係る部屋予約管理システムに係る施錠管理装置及びＩＣカードのシステム構成を説明する図、図５は、本発明の第１実施形態に係る部屋予約管理システムに係る入出管理装置及びＩＣカードのシステム構成を説明する図、図６から図８は、本発明の第１実施形態に係る部屋予約管理システムの処理手順を説明するフローチャートである。
【００２６】
図１に示すように、本発明の第１実施形態に係る部屋予約管理システムは、予約可能な部屋１を予約することができる利用者２が使用する情報記憶媒体と、その情報記憶媒体用のリーダライタが備えられた通信端末５と、その通信端末５と通信可能に接続されたサーバ６と、予約する部屋１の入口ドア９の施開錠状態を制御する情報記憶媒体用のリーダライタが備えられた施錠管理装置８と、予約する部屋１とその他の部屋とを含むスペース１０１の出入りを制御する入口側と出口側の各々に情報記憶媒体用のリーダライタを有する入出管理装置５０８と、から構成されている。
尚、本発明の第１実施形態に係る部屋予約管理システムの説明では、情報記憶媒体として、非接触方式のＩＣカード３が用いられ、また、情報記憶媒体用のリーダライタとしては、通信端末用のＩＣカードリーダライタ４と、施錠管理装置に備えられたＩＣカードリーダライタ７（図４参照）が用いられている。入出管理装置５０８に備えられた情報記憶媒体用のリーダライタとして、入口側のＩＣカードリーダライタ５０７Ｉ及び出口側のＩＣカードリーダライタ５０７Ｏ（図５参照）が用いられている。
【００２７】
利用者２は、部屋１の予約を行う際に、まず、通信端末５を使用して、サーバ６に備えられている部屋の予約状況情報データベースの登録情報を収集して、自分が希望する予約時間に空室があるか否かを確認した後、空室がある場合には、予約申込情報を送信して予約を行うようにしてある。
また、予約が取れたことを証明する予約証明情報は、ＩＣカード３に書き込まれることで、その利用者２は、予約時間になった際に、予約した部屋１に入るためのスペース１０１の出入口に設置された入出管理装置５０８のところに行く。入出管理装置５０８は、入出を管理するために設けられた、例えば、駅の改札などに用いられるフラッパーゲートである。入出管理装置５０８に備えられた入口側のＩＣカードリーダライタ５０７Ｉで、ＩＣカード３に書き込まれた予約証明情報を読み取らせることで、予約された時間帯であることが確認されると、入室が可能となるようにゲートが開く。その後、利用者２は、予約した部屋の入口ドア９の前に行って、施錠管理装置８に備えられたＩＣカードリーダライタ７で、ＩＣカード３に書き込まれた予約証明情報を読み取らせ、予約された時間帯であることが確認されることで、入口ドア９の施錠状態がその後において、通常の状態では施錠された状態に切り替える。
【００２８】
したがって、予約時間以外の時間帯では、入口ドア９の施錠状態が開錠状態となっており、誰でも自由に部屋の使用が行えるようになっている。
なお、ここで部屋管理装置として入口ドア９の施錠を管理する施錠管理装置８を用いているが、部屋管理装置は、施錠管理装置８に代えて、施錠を含むあらゆる方法により入室を管理可能なものであってもよい。例えば、部屋への入室を制御するものとして、入口ドアの錠による開閉に限定されるものではない。例えば、部屋の入口に入室の許否について表示してもよいし、入室のためのゲートを設けて、そのゲートの開閉を制御してもよい。
【００２９】
また、利用者２が部屋１の利用を終えて、予約した部屋１から出た後に、スペース１０１から出る際に、入出管理装置５０８に備えられた出口側のＩＣカードリーダライタ５０７Ｏで、ＩＣカード３に書き込まれた予約証明情報を読み取らせることで、退室可能なようにゲートが開くと共に、すでに予約した部屋１を利用し終えて不要となった予約証明情報を消去する。
したがって、通常は、ゲートが閉じられた状態となっており、何人も自由にスペース１０１に出入りできないようになっている。
なお、ここで入出管理装置５０８は、フラッパーゲートのような１つの装置で出と入とを管理できるものであれば、その態様はゲートに限らない。
【００３０】
したがって、本発明の部屋予約管理システムでは、ＩＣカードリーダライタ７が備えられた施錠管理装置８が、サーバ６と通信可能に接続されている必要がなく、通信線が備えられていない部屋１でも、本発明のシステムを利用することができるようになっている。
また、サーバ６と通信可能に接続されている通信端末５は、１台である必要がなく、複数の通信端末５がサーバ６とそれぞれ通信可能に接続されていてもよい。
この通信端末５は、利用者２が部屋の予約を行う際に使用される。
また、本発明の部屋予約管理システムでは、入口側にＩＣカードリーダライタ５０７Ｉが、出口側にＩＣカードリーダライタ５０７Ｏが各々備えられた入出管理装置５０８が、サーバ６と通信可能に接続されている必要がなく、通信線が備えられていないスペース１０１でも、本発明のシステムを利用することができるようになっている。
【００３１】
次に、本発明の第１実施形態に係る部屋予約管理システムに係るＩＣカード３と通信端末５及びサーバ６のシステム構成を、図２に基づいて説明する。
まず、非接触用のＩＣカード３は、記憶手段１０、送受信手段１１、制御手段１２などが備えられている。
記憶手段１０には、予めＩＣカード３の使用者を特定することができる固有情報である社員ＩＤ情報が登録されている。
このＩＣカード３は、利用者が会社員である場合には、社員証カードなどとしても利用するようにして、常時所持するカードとして用いることが好ましい。
【００３２】
通信端末５に備えられたＩＣカードリーダライタ４は、ＩＣカード３の送受信手段１１と通信を行うための送受信手段１３、記憶手段１４、制御手段１５、インターフェース（Ｉ／Ｆ）１６などが備えられている。
ＩＣカードリーダライタ４は、送受信手段１１により、ＩＣカード３に記憶された固有情報である社員ＩＤ情報を読み取り、また、通信端末５がサーバ６から受信した予約証明情報を、ＩＣカード３の記憶手段１０に書き込む機能を有している。
【００３３】
次に、通信端末５は、入力手段１７、記憶手段１８、送受信手段１９、予約証明情報書込手段２０、制御手段２１、インターフェース（Ｉ／Ｆ）２２などが備えられている。
入力手段１７により、利用者２が部屋の予約を行う際に、予約する部屋を特定する部屋特定情報と、予約する時間帯を示す予約日時情報と、部屋の利用者を特定する利用者特定情報とを含む予約申込情報を入力する。
予約する部屋を特定する部屋特定情報としては、部屋番号などがあり、予約する時間帯を示す予約日時情報とは、予約する日付や、予約する時間帯であり、部屋の利用者を特定する利用者特定情報とは、部屋を予約する利用者２が、その部屋で一緒に会議や打ち合わせなどを行う参加予定者を特定することができる社員の社員ＩＤなどの固有情報をいう。
また、部屋の予約を行う利用者２の社員ＩＤなどの固有情報は、利用者２のＩＣカード３に記憶された固有情報である社員ＩＤ情報が使用されて、予約申込情報と共に送信される。
【００３４】
予約証明情報書込手段２０は、通信端末５がサーバ６から受信した予約証明情報を、ＩＣカードリーダライタ４でＩＣカード３の記憶手段１０に書き込ませる機能を有している。
これにより、部屋１（図１）の予約が取れた利用者は、自分のＩＣカード３の記憶手段１０に部屋１の予約が取れたことを証明するための情報である予約証明情報を記憶させて、部屋１の使用時にその予約証明情報を用いて部屋１のあるスペース１０１のゲート及び部屋１の入口ドア９（図１）を開けられるようにしてある。
【００３５】
また、サーバ６は、送信手段２３、予約証明情報登録手段２４、予約判定手段２５、記憶手段２６、予約証明情報送信手段２７、暗号化手段２８、制御手段２９、予約状況情報データベース３０、などが備えられている。
予約状況情報データベース３０には、図３に示すように、予約が取れた場合にそれらの予約証明情報が登録される。
これらの予約証明情報としては、部屋の予約を行った者のＩＣカード３の記憶手段１０から読み取られた固有情報である予約社員ＩＤ情報３１、予約する部屋を特定する部屋特定情報である部屋番号情報３２、予約する時間帯を示す予約日時情報３３と、部屋の利用者を特定する利用者特定情報であるその部屋の利用者メンバー社員ＩＤ情報３４などが関係付けられて登録される。
予約状況情報データベース３０に登録されている予約証明情報により、予約可能な部屋が複数ある場合には各部屋の予約状況を把握できるようにしてある。
【００３６】
予約状況情報データベース３０に、部屋の利用者を特定する利用者特定情報であるその部屋の利用者メンバー社員ＩＤ情報３４を登録しておくことで、予約した部屋を使用する全員の利用者メンバーが確認可能にしてある。
予約判定手段２５は、通信端末５から予約申込情報を受信した際に、予約状況情報データベース３０に登録されている予約状況情報に基づいて、予約申込みがあった部屋が既に他の者によって予約済みになっていないか判定する。なお、予約状況情報は、複数の予約証明情報を含む予約の状況に関する情報である。
予約証明情報登録手段２４は、予約判定手段２５で予約する部屋が予約可能である場合に、予約申込情報と予約者の予約社員ＩＤ情報とを予約状況情報データベース３０に登録させる機能を有する。
【００３７】
暗号化手段２８は、サーバ６から通信端末５に送信する予約証明情報を暗号化する機能を有する。
また、予約証明情報送信手段２７は、暗号化された予約証明情報を通信端末５に送信する機能を有する。
暗号化されて通信端末５に送信される予約証明情報は、予約する部屋を特定する部屋特定情報である部屋番号情報３２、予約する時間帯を示す予約日時情報３３と、部屋の利用者を特定する利用者特定情報であるその部屋の利用者メンバー社員ＩＤ情報３４などである。
このようにして、通信端末５に送信される予約証明情報は、ＩＣカードリーダライタ４でＩＣカード３の記憶手段１０に書き込まれる。
【００３８】
また、予約状況情報データベース３０に登録されている利用者メンバー社員は、通信端末５からサーバ６に対して、予約証明情報の送信依頼を行うことができる。
この場合は、利用者メンバー社員が通信端末５からサーバ６に社員ＩＤ情報を送信して、予約証明情報の送信依頼を行い、その社員ＩＤ情報が予約状況情報データベース３０に登録されている利用者メンバー社員ＩＤと一致することを条件に、サーバ６から通信端末５に予約証明情報が送信され、自分のＩＣカード３の記憶手段１０に書き込むことができる。
【００３９】
利用者メンバー社員のＩＣカード３の記憶手段１０に予約証明情報を書き込む必要があるのは、最初にその部屋を予約した利用者よりも先に利用者メンバー社員が入室する場合であって、この場合には、予約証明情報による照合を受けて入室できるようにしてある。
但し、予約した部屋を使用する際に、最初にその部屋を予約した利用者が入室している場合には、その後に入室しようとする利用者メンバー社員は予約証明情報による照合を受けることなく入室できるので、予約証明情報をＩＣカード３の記憶手段１０に書き込む必要はない。
【００４０】
次に、図４に基づいて、施錠管理装置８のシステム構成について説明する。
施錠管理装置８に備えられたＩＣカードリーダライタ７は、ＩＣカード３の送受信手段１１と通信を行うための送受信手段３５、記憶手段３６、制御手段３７、インターフェース（Ｉ／Ｆ）３８などが備えられている。
ＩＣカードリーダライタ７は、送受信手段１１により、ＩＣカード３に記憶された予約証明情報や社員ＩＤ情報を読み取る機能を有している。
また、施錠管理装置８には、復号手段３９、日時計測手段４０、判定手段４１、施錠開閉手段４２、記憶手段４３、照合手段４４、制御手段４５、インターフェース（Ｉ／Ｆ）４６、予約証明情報登録手段４７、施錠状態切替手段４８などが備えられている。
【００４１】
復号手段３９は、施錠管理装置８が受信した暗号化されている予約証明情報を復号する機能を有している。
日時計測手段４０は、常時、日時を計測しており、ＩＣカードリーダライタ７でＩＣカード３から情報が読み取られた際に、その日時を特定できるようにしてある。他には、ＩＣカードリーダライタ７でＩＣカード３から情報が読み取られた際に、電波などにより日時を取得することが考えられる。
判定手段４１は、予約証明情報に含まれている予約日時情報の時間帯が、日時計測手段４０で計測されているその時の日時に入っているか否かを判定し、正しい場合には入室を許可する機能を有している。
また、予約証明情報登録手段４７は、ＩＣカードリーダライタ７でＩＣカード３から情報が読み取られた予約証明情報を記憶手段４３に書き込む機能を有する。
【００４２】
また、照合手段４４は、利用者メンバー社員が予約者の後から入室する際に、ＩＣカードリーダライタ７で利用者メンバー社員のＩＣカード３から読み取れられた社員ＩＤ情報と、記憶手段４３に書き込まれている予約証明情報の利用者メンバー社員ＩＤ情報とを照合する機能を有し、照合一致の場合には入室を許可する機能を有している。
施錠開閉手段４２は、条件に応じて、入口ドア９の施錠を開いたり、閉じたりさせる制御を行うもので、判定手段４１の判定で入室が許可された場合と、照合手段４４の照合で入室を許可された場合に、入口ドア９の施錠を開いて入室できるようにする。
また、施錠状態切替手段４８は、通常状態では部屋の入口ドアの施錠を開錠状態としておいて、誰でも使用可能としておき、予約で部屋が使用される場合には特定の利用者以外には入室が行えないように施錠して入室管理を行えるように、施錠状態の切り替えを行う。
これにより、予約された時間帯は、予め予約した使用者以外には、入室できないようにできる。
【００４３】
次に、図５に基づいて、入出管理装置５０８のシステム構成について説明する。
入出管理装置５０８に備えられた入口側のＩＣカードリーダライタ５０７Ｉは、ＩＣカード３の送受信手段１１と通信を行うための送受信手段５３５Ｉ、記憶手段５３６Ｉ、制御手段５３７Ｉ、インターフェース（Ｉ／Ｆ）５３８Ｉなどが備えられている。また、出口側のＩＣカードリーダライタ５０７Ｏも、ＩＣカードリーダライタ５０７Ｉと同様であるため、説明を省略する。
ＩＣカードリーダライタ５０７Ｉ及び５０７Ｏは、送受信手段１１により、ＩＣカード３に記憶された予約証明情報や社員ＩＤ情報を読み取る機能を有している。
また、入出管理装置５０８には、復号手段５３９、日時取得手段５４０、判定手段５４１、入室制御手段５４２、記憶手段５４３、照合手段５４４、制御手段５４５、インターフェース（Ｉ／Ｆ）５４６、予約証明情報登録手段５４７、消去手段５５０などが備えられている。
【００４４】
復号手段５３９は、入出管理装置５０８が受信した暗号化されている予約証明情報を復号する機能を有している。
日時取得手段５４０は、常時、もしくは、ＩＣカードリーダライタ５０７Ｉ及び５０７ＯでＩＣカード３から情報が読み取られた際に、日時を取得しており、ＩＣカードリーダライタ５０７Ｉ及び５０７ＯでＩＣカード３から情報が読み取られた際に、その日時を特定できるようにしてある。
判定手段５４１は、予約証明情報に含まれている予約日時情報の時間帯が、日時取得手段５４０で取得されているその時の日時に入っているか否かを判定し、正しい場合には入室可否を制御する機能を有している。
また、予約証明情報登録手段５４７は、ＩＣカードリーダライタ５０７ＩでＩＣカード３から読み取られた予約証明情報を記憶手段５４３に書き込む機能を有する。
【００４５】
また、照合手段５４４は、予約者及び利用者メンバー社員である利用者２が入室する際に、ＩＣカードリーダライタ５０７Ｉで利用者２のＩＣカード３から読み取れられた社員ＩＤ情報と、記憶手段５４３に書き込まれている予約証明情報の社員ＩＤ情報とを照合する機能を有し、照合一致の場合には入室を許可する機能を有している。
入室制御手段５４２は、条件に応じて、入出管理装置５０８に有するゲートを開く制御を行うもので、判定手段５４１の判定で入室可否が制御され、照合手段５４４の照合で入室を許可された場合に、ゲートを開いて入室できるようにする。
また、消去手段５５０は、ＩＣカードリーダライタ５０７Ｏで、ＩＣカード３から読み取られた予約証明情報が古い情報である場合に、ＩＣカード３から当該予約証明情報を消去させる機能を有している。
これにより、予約された時間帯は、予め部屋１の予約した利用者２のみが、スペース１０１に入室できる。
【００４６】
次に、本発明の第１実施形態に係る部屋予約管理システムに係る部屋への入室の処理手順を、図６及び図７のフローチャートに基づいて説明する。
図６において、まず、部屋の予約を行う利用者２は、通信端末５に備えられたＩＣカードリーダライタ４にＩＣカード３をセットする（ステップＳ１）。
次に、通信端末５の入力手段１７から、予約する部屋を特定する部屋特定情報と、予約日時情報と、部屋の利用者を特定する利用者特定情報とを含む予約申込情報を入力する（ステップＳ２）。
そして、通信端末５からサーバ６に予約申込情報を送信する（ステップＳ３）。
【００４７】
サーバ６は、予約状況情報データベース３０の予約状況から、予約が行える場合には、サーバ６から通信端末５に対して、予約の権利を与える予約証明情報を暗号化させて送信する（ステップＳ４）。
通信端末５は、ＩＣカードリーダライタ４からＩＣカード３の記憶手段１０に、暗号化された予約証明情報を書き込む（ステップＳ５）。
【００４８】
次に、ここで、部屋１の予約が取れた利用者２が、その部屋１を利用する際に行う入出管理装置の入口側での処理について、図７に基づき説明する。
まず、部屋１の予約が取れた利用者２が、その部屋１を利用する際に、予約した部屋１を含むスペース１０１の入口に備えられた入出管理装置５０８のＩＣカードリーダライタ５０７Ｉで、ＩＣカード３に記憶された暗号化された予約証明情報を読み取らせる（ステップＳ１０１）。
【００４９】
次に、読み取られたＩＣカード３に、その日時の予約証明情報が存在するか否かを判定する（ステップＳ１０２）。その際、予約した時間帯より早めに入室する場合を考慮し、多少の時間のずれは許容するのが望ましい。読み取られたＩＣカード３に、その日時の予約証明情報が存在する場合（ステップＳ１０２：Ｙ）には、入出管理装置５０８は、読み取られた暗号化された予約証明情報を復号させる（ステップＳ１０３）。読み取られたＩＣカード３に、その日時の予約証明情報が存在する場合とは、予約者のＩＣカード３を用いた場合である。また、予約者以外の利用者２のＩＣカード３を用いた場合は、予め利用者２が、予約者が予約した後に通信端末５を用いてサーバ６の予約状況情報データベース３０（図３参照）に登録された予約証明情報を自己のＩＣカード３に書き込んだ場合である。他方、読み取られたＩＣカード３に、その日時の予約証明情報が存在しない場合（ステップＳ１０２：Ｎ）には、後述するステップＳ１０５の処理を行う。
そして、入出管理装置５０８は、復号された予約証明情報を記憶手段５４３に記憶させる（ステップＳ１０４）。
【００５０】
ステップＳ１０５では、入出管理装置５０８は、記憶手段５４３にその時の日時の予約証明情報を記憶しているか否かを判定する。予約証明情報を記憶していない場合（ステップＳ１０５：Ｎ）には、処理を終了する。つまり、入出管理装置５０８のゲートを開かないため、入室ができない。
他方、予約証明情報を記憶している場合（ステップＳ１０５：Ｙ）には、記憶された予約証明情報に、ＩＣカード３に記憶された社員ＩＤ情報が含まれているか否かを判定する（ステップＳ１０６）。予約証明情報に、ＩＣカード３に記憶された社員ＩＤ情報を含むとは、予約証明情報の利用メンバー社員ＩＤ情報にＩＣカード３の社員ＩＤ情報が存在することをいう。予約証明情報にＩＣカード３の社員ＩＤ情報を含む場合（ステップＳ１０６：Ｙ）には、入出管理装置５０８のゲートを開く（ステップＳ１０７）。これにより、利用者２は、部屋１のあるスペース１０１に入室できる。他方、予約証明情報にＩＣカード３の社員ＩＤ情報を含まない場合（ステップＳ１０６：Ｎ）には、本処理を終了する。つまり、入出管理装置５０８のゲートを開かないため、入室ができない。
以上の処理により、部屋１の利用者２のみがスペース１０１に入室できる。
【００５１】
図６に戻って、次に、部屋の予約が取れた利用者２が、その部屋を使用する際に、予約した部屋の入口に備えられた施錠管理装置８のＩＣカードリーダライタ７で、ＩＣカード３に記憶された暗号化された予約証明情報を読み取らせる（ステップＳ６）。
施錠管理装置８は、読み取られた暗号化された予約証明情報を復号させる（ステップＳ７）。
そして、復号された予約証明情報に含まれている予約日時情報の時間帯が、日時計測手段４０で計測されているその時の日時に入っているか否かを判定される（ステップＳ８）。
この判定で正しいと判定された場合には、施錠開閉手段４２からドアの施錠が開くように制御される（ステップＳ９）。
更に、入口ドアの施開錠状態を常時施錠状態となるように制御される（ステップＳ１０）。
次に、予約証明情報を記憶手段に書き込んで登録する（ステップＳ１１）。
以上の処理により、部屋の予約者が入室できる状態となり、その利用者２が入室する。
【００５２】
次に、部屋の予約者が入室した後に、利用者メンバー社員が入室する際の処理を説明する。
会議などを行うためにその部屋に来た利用者２である利用者メンバー社員は、施錠管理装置８のＩＣカードリーダライタ７で、ＩＣカード３に記憶された社員ＩＤ情報を読み取らせる（ステップＳ１２）。
施錠管理装置８は、記憶手段４３に登録されている予約証明情報に含まれている利用者メンバー社員ＩＤ情報との照合を行う（ステップＳ１３）。
そして、照合一致された場合には、施錠状態切替手段４８により常時施錠された状態に切り替えられ、更に、照合一致により、施錠開閉手段４２からドアの施錠を開錠させるように制御される（ステップＳ１４）。
【００５３】
以上のように、本発明の部屋予約管理システムは、複数の人間が共通して使用することができる会議室などの部屋において、部屋の予約が行われた場合に、予約された部屋に関係のない第三者が不用意にスペース及び部屋に入室できないようにしてあり、セキュリティが確保できるようにしてある。
【００５４】
次に、本発明の第１実施形態に係る部屋予約管理システムに係る入出管理装置の出口側の処理手順を、図８のフローチャートに基づいて説明する。
【００５５】
まず、部屋１の利用をし終え、もしくは利用途中に何かしらの用事があり、スペース１０１を出ようとする利用者２は、スペース１０１の出口にある入出管理装置５０８のＩＣカードリーダライタ５０７Ｏで、ＩＣカード３に記憶された暗号化された予約証明情報を読み取らせる（ステップＳ２０１）。
次に、読み取られたＩＣカード３に、予約証明情報が存在するか否かを判定する（ステップＳ２０２）。読み取られたＩＣカード３に、予約証明情報が存在する場合（ステップＳ２０２：Ｙ）には、読み取られた暗号化された予約証明情報を復号させる（ステップＳ２０３）。他方、読み取られたＩＣカード３に、予約証明情報が存在しない場合（ステップＳ１０２：Ｎ）には、後述するステップＳ２０６の処理を行う。
【００５６】
ステップＳ２０４では、入出管理装置５０８は、復号された予約証明情報の予約日時情報がその時の日時を越えているか否かを判定する。予約日時情報がその時の日時を越えている予約証明情報とは、予約日時が到来して使用し終わった予約証明情報である。本機能を安価に実現するため、ＩＣカード３は、固定位置に予約証明情報に関する情報を取得しており、不要な情報を消去して記憶容量の削減を図るための処理である。予約証明情報の予約日時情報がその時の日時を越えている場合（ステップＳ２０４：Ｙ）には、入出管理装置５０８は、ＩＣカード３に記憶された該当の予約証明情報を消去させる（ステップＳ２０５）。他方、予約証明情報の予約日時情報がその時の日時を越えていない場合（ステップＳ２０４：Ｎ）には、後述するステップＳ２０６の処理を行う。
ここで、ＩＣカード３に記憶された予約証明情報の消去する基準として、その時が予約時間を越えた場合としているが、例えば、予約時間を１００とした場合に、その時が予約時間全体の４分の３を過ぎた時間である場合とするなどでもよい。部屋１の利用の済んだ不要な情報を消去することができれば、基準はどのようなものでもよい。
【００５７】
ステップＳ２０６では、入出管理装置５０８は、ＩＣカード３に記憶された社員ＩＤ情報から、入出管理装置５０８の記憶手段５４３に記憶された予約証明情報の利用者メンバー社員ＩＤの退室を記録する。
その後、入出管理装置５０８のゲートを開く（ステップＳ２０７）。これにより、利用者２は、部屋１のあるスペース１０１から退室できる。
よって、退室する場合にも、ＩＣカード３を用いることで、退室管理を行うことができ、更にＩＣカード３に記憶された不要な情報を消去することができる。
【００５８】
以上のように、本発明の部屋予約管理システムは、複数の人間が共通して利用することができる会議室などの部屋が複数あるフロアなどにおいて、部屋の予約が行われた場合に、予約された部屋に関係のない第三者が不用意にフロアに入室できないようにしてあり、セキュリティの保護が図れるようにしてある。
【００５９】
（第２実施形態）
次に、本発明を適用した部屋予約管理システムの第２実施形態について説明する。
なお、以降の説明及び図面において、上述した第１実施形態と同様の機能を果たす部分には、同一の符号又は末尾に同一の符号を付して、重複する記載を適宜省略する。
図９は、本発明の第２実施形態に係る部屋予約管理システムの構成の概要を説明する図、図１０は、本発明の第２実施形態に係る部屋予約管理システムに係る入出管理装置及びＩＣカードのシステム構成を説明する図、図１１は、本発明の第２実施形態に係る部屋予約管理システムに係る入出管理装置の記憶手段の記憶内容を説明する図、図１２及び図１３は、本発明の第２実施形態に係る部屋予約管理システムに係る入出管理装置の入口側の処理手順を説明するフローチャートである。
【００６０】
図９に示すように、本発明の第２実施形態に係る部屋予約管理システムは、予約可能な部屋１を予約することができる利用者が使用する情報記憶媒体である非接触方式のＩＣカード３（図１０参照）と、部屋１を始め他の部屋を含むスペース１０１の出入りを制御する入口側と出口側の各々に情報記憶媒体用のリーダライタを有する入出管理装置６０８と、予約する部屋１の入口ドア９の施開錠状態を制御する情報記憶媒体用のリーダライタが備えられた施錠管理装置８とから構成されている。
尚、本発明の第２実施形態に係る部屋予約管理システムの説明では、上述する第１実施形態と同様に、情報記憶媒体用のリーダライタとしては、入出管理装置６０８に備えられた入口側のＩＣカードリーダライタ５０７Ｉ及び出口側のＩＣカードリーダライタ５０７Ｏと、施錠管理装置８に備えられたＩＣカードリーダライタ７とが用いられている。
【００６１】
利用者は、部屋１の予約を行う際に、まず、入出管理装置６０８を使用する。入出管理装置６０８は、予約を行うためのテンキー６０５を備えており、テンキー６０５を操作して、入出管理装置６０８の記憶手段５４３（図１０参照）から部屋１の予約状況情報を不図示の表示部により確認し、空室がある場合には、予約を行うようにしてある。
また、その利用者は、予約時間になった際に、予約した部屋１に入室するために、まず予約した部屋１のあるスペース１０１の入口に行って、入出管理装置６０８に備えられたＩＣカードリーダライタ５０７Ｉで、ＩＣカード３に記憶された社員ＩＤ情報を読み取らせることで、入出管理装置６０８の記憶手段５４３に予約証明情報が記憶されていることを確認の上、部屋１の予約が取れていることを証明する予約証明情報を、ＩＣカード３に書き込ませる。そして、入出管理装置６０８は、ゲートを開くことで、利用者はスペース１０１に入室できる。
【００６２】
そして、利用者は、ＩＣカード３に書き込まれた予約証明情報を用いて、予約した部屋１の入口ドア９の前に行って、施錠管理装置８に備えられたＩＣカードリーダライタ７で、ＩＣカード３に書き込まれた予約証明情報を読み取らせることで、予約された時間帯であることを確認させる。そして、入口ドア９の施錠状態を、その後において、通常の状態では施錠された状態に切り替える。
【００６３】
したがって、本発明の部屋予約管理システムでは、ＩＣカードリーダライタ７が備えられた施錠管理装置８が、入出管理装置６０８と通信可能に接続されている必要がなく、通信線が備えられていない部屋１でも、本発明のシステムを利用することができるようになっている。
また、入出管理装置６０８が備えるテンキー６０５は、１台である必要がなく、入口側と出口側の２台用意してもよい。
【００６４】
次に、図１０に基づいて、入出管理装置６０８のシステム構成について説明する。
入出管理装置６０８に備えられた入口側のＩＣカードリーダライタ５０７Ｉ及び出口側のＩＣカードリーダライタ５０７Ｏは、上述する第１実施形態と同様である。
また、入出管理装置６０８には、入力手段６１７、日時取得手段５４０、判定手段５４１、入室制御手段５４２、記憶手段５４３、照合手段５４４、制御手段５４５、インターフェース（Ｉ／Ｆ）５４６、消去手段５５０などが備えられている。
【００６５】
入力手段６１７により、利用者が部屋１の予約を行う際に、予約する部屋１を特定する部屋特定情報と、予約する時間帯を示す予約日時情報と、部屋１の利用者を特定する利用者特定情報とを含む予約申込情報を入力する。入力手段６１７とは、具体的には、テンキー６０５をいい、利用者が情報を入力できるものをいう。
予約する部屋を特定する部屋特定情報としては、部屋番号などがあり、予約する時間帯を示す予約日時情報とは、予約する日付や、予約する時間帯であり、部屋の利用者を特定する利用者特定情報とは、部屋を予約する利用者が、その部屋で一緒に会議や打ち合わせなどを行う参加予定者を特定することができる社員の社員ＩＤなどの固有情報をいう。
また、部屋１の予約を行う利用者の社員ＩＤなどの固有情報は、利用者のＩＣカード３に記憶された固有情報である社員ＩＤ情報が使用される。
【００６６】
記憶手段５４３には、予約が取れた場合にそれらの予約証明情報（図１１参照）が登録される。
図１１は、本発明の第２実施形態に係る部屋予約管理システムの入出管理装置６０８の記憶手段５４３に記憶される予約証明情報を示すものである。図１１に示す予約証明情報は、予約した部屋に関する部屋情報（図１１（ａ））と、予約した部屋を利用する利用者に関する利用者情報（図１１（ｂ））とを有する。
図１１（ａ）に示す部屋情報は、部屋の予約を行った者のＩＣカード３の記憶手段１０から読み取られた固有情報である予約社員ＩＤ情報６３１と、予約する部屋を特定する部屋特定情報である部屋番号情報６３２と、複数の利用者メンバーが利用する予約する時間帯のうちの最初から最後の時間を示す最長の予約時間帯である部屋の予約時間帯を示す予約日時情報６３３と、利用者情報（図１１（ｂ））と関係付けるために入出管理装置６０８により一意に設定される予約ＩＤ情報６３５とが関係付けられて登録される。
【００６７】
また、図１１（ｂ）に示す利用者情報は、部屋情報（図１１（ａ））と関係付けるための予約ＩＤ情報６４１と、部屋の利用者を特定する利用者特定情報であるその部屋の利用者メンバー社員ＩＤ情報６４２と、その利用者メンバー社員が使用する時間帯を示す予約日時情報６４３とが関係付けられて登録される。
このように、利用者ごとに予約日時を有することで、例えば、面接などの時間ごとに面接される側の利用者が異なる場合でも、適切に予約した部屋への入室管理を行うことができる。よって、予約した部屋への入室を精緻に管理できる。
なお、図１１で説明した予約証明情報は、理解を深めるために部屋情報と利用者情報とを別テーブルとしている。
これにより、部屋ごとの予約を入出管理装置６０８において管理できる。
【００６８】
次に、本発明の第２実施形態に係る部屋予約管理システムに係る入出管理装置の入口側の処理手順を、図１２及び図１３のフローチャートに基づいて説明する。まず、図１２では、予約者が部屋１を予約し、部屋１のあるスペース１０１への入室に関する処理について説明する。
【００６９】
まず、部屋１の予約を行う利用者は、部屋１を含むスペース１０１の入口にある入出管理装置６０８のテンキー６０５に、部屋１の予約申込情報を入力する（ステップＳ３０１）。
次に、入力された予約申込情報により、入出管理装置６０８は、部屋１の予約が可能か否かを判定する（ステップＳ３０２）。予約申込情報は、部屋１の予約が可能か否かを判定するために、予約したい部屋情報を示す部屋番号情報と、予約したい部屋の利用時間帯を示す予約日時情報と、予約したい部屋を利用する利用者を示す利用者メンバー社員ＩＤ情報とを含むものである。利用者メンバー社員ＩＤ情報は、最初に入力せず、部屋の予約が可能となった場合に入力することとしてもよい。
入出管理装置６０８により、予約が可能と判定された場合（ステップＳ３０２：Ｙ）には、利用者は、入出管理装置６０８のＩＣカードリーダライタ５０７Ｉに、利用者のＩＣカード３をセットして、ＩＣカード３に記憶された社員ＩＤ情報を読み取らせる。他方、入出管理装置６０８により、予約が不可と判定された場合（ステップＳ３０２：Ｎ）には、予約できずに本処理を終了する。
【００７０】
入出管理装置６０８は、記憶手段５４３に、予約が可能となった予約証明情報を記憶する（ステップＳ３０４）。
入出管理装置６０８は、ＩＣカードリーダライタ５０７ＩからＩＣカード３の記憶手段１０に、予約証明情報を書き込む（ステップＳ３０５）。
この処理により、部屋１を含むスペース１０１への出入を管理する入出管理装置６０８により部屋１の予約を行うことができる。
【００７１】
次に、部屋１の予約が取れた利用者が、その部屋１を利用する際に、予約した部屋１を含むスペース１０１の入口に備えられた入出管理装置６０８のＩＣカードリーダライタ５０７Ｉで、ＩＣカード３に記憶された予約証明情報を読み取らせる（ステップＳ３１１）。
次に、入出管理装置６０８の記憶手段５４３に、その時の日時の予約証明情報が存在するか否かを判定する（ステップＳ３１２）。該当の予約証明情報が存在する場合（ステップＳ３１２：Ｙ）には、入出管理装置６０８は、記憶された予約証明情報に、読み取られたＩＣカード３の社員ＩＤ情報が含まれるか否かを判定する（ステップＳ３１３）。他方、該当の予約証明情報が存在しない場合（ステップＳ３１２：Ｎ）には、スペース１０１のどの部屋の予約もないために、入室させることなく本処理を終了する。
【００７２】
次に、予約証明情報に、読み取られたＩＣカード３の社員ＩＤ情報が含まれる場合（ステップＳ３１３：Ｙ）には、入出管理装置６０８は、読み取られたＩＣカード３にその時の予約の予約証明情報が書き込まれているか否かを判定する（ステップＳ３１４）。他方、読み取られたＩＣカード３の社員ＩＤ情報が含まれない場合（ステップＳ３１３：Ｎ）には、スペース１０１のどの部屋の予約にも、その利用者の情報がないために、入室させることなく本処理を終了する。
ＩＣカード３に予約証明情報が書き込まれている場合（ステップＳ３１４：Ｙ）には、後述するステップＳ３１６の処理を行う。他方、ＩＣカード３に予約証明情報が書き込まれていない場合（ステップＳ３１４：Ｎ）には、入出管理装置６０８は、ＩＣカードリーダライタ５０７ＩからＩＣカード３の記憶手段１０に予約証明情報を書き込む（ステップＳ３１５）。
【００７３】
次に、ステップＳ３１６では、入出管理装置６０８は、入出管理装置６０８のゲートを開いて、本処理を終了する。
なお、ゲートを開くのは、入室をするためであり、入室後にはゲートは閉まる。
この処理により、部屋１の利用者は、部屋１に行く前に通るスペース１０１に入室することができる。また、部屋１の施錠管理装置８が入室を許可するように、予約証明情報を書き込むことができる。
【００７４】
次に、図１３では、利用者が行う予約した部屋の変更に関する処理について説明する。
まず、利用者は、部屋１を含むスペース１０１の入口にある入出管理装置６０８のＩＣカードリーダライタ５０７Ｉに、利用者のＩＣカード３をセットして、ＩＣカード３に記憶された社員ＩＤ情報を読み取らせる（ステップＳ３２１）。
次に、利用者は、入出管理装置６０８のテンキー６０５を用いて、追加利用者情報を入力する（ステップＳ３２２）。追加利用者情報は、予約した部屋１を利用したい追加利用者の社員ＩＤ情報や追加利用者の使用時間帯などである。
次に、入出管理装置６０８は、記憶された予約証明情報に、読み取られたＩＣカード３の社員ＩＤ情報が含まれるか否かを判定する（ステップＳ３２３）。予約証明情報に、読み取られたＩＣカード３の社員ＩＤ情報が含まれる場合（ステップＳ３２３：Ｙ）には、入出管理装置６０８は、記憶手段５４３に記憶された該当の予約証明情報に追加利用者を追加して記憶する（ステップＳ３２４）。具体的には、予約証明情報の利用者情報（図１１（ｂ））に、利用者メンバー社員ＩＤ情報が追加利用者の社員ＩＤ情報であって、予約日時情報が追加利用者の利用時間である情報を追加する。他方、予約証明情報に、読み取られたＩＣカード３の社員ＩＤ情報が含まれない場合（ステップＳ３２３：Ｎ）には、予約した部屋１を利用できる利用者の申込ではないため、何もせずに本処理を終了する。
以上の処理により、予約した部屋１の利用者のみが利用者の追加の処理を行うことができるため、セキュリティを保つことができる。
【００７５】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００７６】
（変形形態）
以上、説明した実施形態に限定されることなく、種々の変形や変更が可能であって、それらも本発明の範囲内である。
（１）上述の実施形態では、ＩＣカードリーダライタはＩＣカードと非接触で読み込み、及び書き込むものであるが、接触型のＩＣカード及びＩＣカードリーダライタであってもよい。また、カードの形態に限らず、携帯電話機や各種タグの形態でも構わない。
（２）上述の実施形態では、入出管理装置６０８に備えたテンキー６０５により利用者を追加したが、部屋１を利用中の場合の利用者の追加の際には、入出管理装置の出口側に備えるテンキーにより同様の操作を行ってもよい。そのことにより、一度入出管理装置の外に出てから利用者追加の操作をするという煩雑な動作を回避できる。
（３）上述の実施形態では、予約証明情報を暗号化していないが、入出管理装置６０８に暗号化手段を備え、ＩＣカード３に書き込む予約証明情報を暗号化したものとしてもよい。その場合は、施錠管理装置８に備える復号手段により、予約証明情報を復号して記憶する。このようにＩＣカード３により伝達する情報を暗号化することで、セキュリティを高めることができる。
（４）上述の実施形態では、施錠管理装置８に予約証明情報を読み取らせることにより入室可否を制御するものであったが、例えば、入出管理装置５０８において部屋１に入室できるキー情報を書き込むことにより施錠管理装置８での入室可否を制御するものであってもよい。
（５）上述の実施形態では、部屋１に施錠管理装置８などの部屋管理装置を備えるものであるが、入出管理装置のみで部屋管理装置を備えないものであってもよい。
【図面の簡単な説明】
【００７７】
【図１】本発明の第１実施形態に係る部屋予約管理システムの構成の概要を説明する図である。
【図２】本発明の第１実施形態に係る部屋予約管理システムに係るＩＣカードと通信端末及びサーバのシステム構成を説明する図である。
【図３】本発明の第１実施形態に係る部屋予約管理システムに係るサーバの予約状況情報データベースの登録内容を説明する図である。
【図４】本発明の第１実施形態に係る部屋予約管理システムに係る施錠管理装置及びＩＣカードのシステム構成を説明する図である。
【図５】本発明の第２実施形態に係る部屋予約管理システムに係る入出管理装置及びＩＣカードのシステム構成を説明する図である。
【図６】本発明の第１実施形態に係る部屋予約管理システムの処理手順を説明するフローチャートである。
【図７】本発明の第１実施形態に係る部屋予約管理システムに係る入出管理装置の入口側の処理手順を説明するフローチャートである。
【図８】本発明の第１実施形態に係る部屋予約管理システムに係る入出管理装置の出口側の処理手順を説明するフローチャートである。
【図９】本発明の第２実施形態に係る部屋予約管理システムの構成の概要を説明する図である。
【図１０】本発明の第２実施形態に係る部屋予約管理システムに係る入出管理装置及びＩＣカードのシステム構成を説明する図である。
【図１１】本発明の第２実施形態に係る部屋予約管理システムに係る入出管理装置の記憶手段の記憶内容を説明する図である。
【図１２】本発明の第２実施形態に係る部屋予約管理システムに係る入出管理装置の入口側の処理手順を説明するフローチャートである。
【図１３】本発明の第２実施形態に係る部屋予約管理システムに係る入出管理装置の入口側の処理手順を説明するフローチャートである。
【符号の説明】
【００７８】
１  部屋
２  利用者
３  ＩＣカード
４，７  ＩＣカードリーダライタ
５  通信端末
６  サーバ
８  施錠管理装置
９  入口ドア
１０，１４，１８，２６，３６，４３  記憶手段
１１，１３，１９，２３，３５  送受信手段
１２，１５，２１，２９，３７，４５  制御手段
１６，２２，４６  インターフェース（Ｉ／Ｆ）
１７  入力手段
２０  予約証明情報書込手段
２４  予約証明情報登録手段
２５  予約判定手段
２７  予約証明情報送信手段
２８  暗号化手段
３０  予約状況情報データベース
３１，６３１  予約社員ＩＤ情報
３２，６３２  部屋番号情報
３３，６３３，６４３  予約日時情報
３４，６４２  利用者メンバー社員ＩＤ情報
３９  復号手段
４０  日時計測手段
４１  判定手段
４２  施錠開閉手段
４４  照合手段
４７  予約証明情報登録手段
４８  施錠状態切替手段
５０８，６０８  入出管理装置
６０５  テンキー
６３５，６４１  予約ＩＤ情報
【図１】
2008077648.tif 000003
【図２】
2008077648.tif 000004
【図３】
2008077648.tif 000005
【図４】
2008077648.tif 000006
【図５】
2008077648.tif 000007
【図６】
2008077648.tif 000008
【図７】
2008077648.tif 000009
【図８】
2008077648.tif 000010
【図９】
2008077648.tif 000011
【図１０】
2008077648.tif 000012
【図１１】
2008077648.tif 000013
【図１２】
2008077648.tif 000014
【図１３】
2008077648.tif 000015